(57)【要約】【課題】本発明は、電気掃除機用の吸込具体に、複数本、同時回転させた回転清掃体の改良に関するものである。【解決手段】吸込口２を有する吸込室３、吸込室３に連通する塵埃通路４を形成した吸込具ケース７と、塵埃通路４に連通し吸込具ケース７の後側から形成された接続管８と、第１の回転清掃体１０と、第２の回転清掃体１７と、第２の回転清掃体１７乃至第１の回転清掃体１０とを減速機構２５を介して回転させる駆動体２３とを備えた電気掃除機用の吸込具体１において、第１の回転清掃体１０と第２の回転清掃体１７と被清掃面との間に塵埃掃き上げ通路２１を設け、第１の回転清掃体１０と第２の回転清掃体１７の回転方向を塵埃掃き上げ通路２１に向け、第１の回転清掃体１０は、吸込室３の後方の塵埃通路４側に収納され、第２の回転清掃体１７より小径で、その上部空間は、塵埃通路４と塵埃掃き上げ通路２１にそれぞれ連通する塵埃移動横路１６を構成した。【選択図】図１
2015154836.tif 000002
【特許請求の範囲】
【請求項１】
被清掃面から塵埃を吸引する幅広の吸込口を有する吸込室と、該吸込室に一端が連通する塵埃通路をそれぞれ有する吸込具ケースに、一端が前記塵埃通路に連通し他端が前記吸込具ケースの後側から突出するよう形成された接続管と、前記吸込室に並列状態にそれぞれ幅広で回転自在に収納支持された第１ローターと該第１ローターの外周部の長軸方向に複数列形成された第１清掃ブラシより成る第１の回転清掃体と第２ローターと該第２ローターの外周部の長軸方向に複数列形成された第２清掃ブラシより成る第２の回転清掃体と、前記第１の回転清掃体乃至第２の回転清掃体とを減速機構を介して所定の回転数でそれぞれ回転させる駆動体と、を備え、前記第１の回転清掃体と前記第２の回転清掃体と被清掃面との間に塵埃掃き上げ通路を設け、前記第１の回転清掃体と前記第２の回転清掃体のそれぞれの回転方向を前記塵埃掃き上げ通路に向けるように形成し、前記第１の回転清掃体は、前記吸込室の後方の塵埃通路側に収納され、前記第２の回転清掃体より小径で、その上部空間は、前記塵埃通路と前記塵埃掃き上げ通路にそれぞれ連通する塵埃移動横路としたことを特徴とする電気掃除機用の吸込具体。
【請求項２】
第１の回転清掃体と第２の回転清掃体は、それぞれの外周部が接合状態に形成され、第１の回転清掃体の回転数/分は、前記第２の回転清掃体より少なく、かつ、第１ローターに形成される第１清掃体の数は、第２ローターに形成される第２清掃体の数より少なく形成したことを特徴とする請求項1記載の電気掃除機用の吸込具体。
【請求項３】
第１ローターには、第１清掃ブラシに近接する第１ブラシ屈曲抑制壁が設けられ、前記第１ブラシ屈曲抑制壁は、第１の回転清掃体の回転方向において、前記第１清掃ブラシ体の後方に設け、かつ、前記第１ブラシ屈曲抑制壁の高さは、前記第１清掃ブラシの毛丈より低くしたことを特徴とする請求項１乃至請求項２記載の電気掃除機用の吸込具体。
【請求項４】
第２ローターには、第２清掃ブラシに近接する第２ブラシ屈曲抑制壁が設けられ、前記第２ブラシ屈曲抑制壁は、第２の回転清掃体の回転方向において、第２清掃ブラシ体の後方に設け、かつ、前記第２ブラシ屈曲抑制壁の高さは、前記、第２清掃ブラシの毛丈より低くしたことを特徴とする請求項１乃至請求項３記載の電気掃除機用の吸込具体。
【発明の詳細な説明】
【技術分野】
【０００１】
本発明は、複数の回転清掃体を備えた電気掃除機の吸込具体に関するものである。
【背景技術】
【０００２】
従来、一般的な掃除機の吸込具体においては、室内の被清掃面上の塵埃を清掃するために、回転清掃体を回転させながら、吸込具体を前後に動かし、吸込具体内に掃き上げて、電動送風機で吸引していたが、被清掃面上の塵埃をより効率的で、かつ確実に清掃するために、吸込室に回転清掃体を複数本収納し、これらを同時回転する吸込具体が開示されている（例えば、特許文献１、特許文献２、参照）。さらに、室内に置かれた家具等の下方の隙間の清掃対応では、吸込具体の高さが、より低いものが求められていた。
【先行技術文献】
【特許文献】
【０００３】
【特許文献１】特開平９−１０１４３号公報
【特許文献２】特開平５−１１１４４９号公報
【発明の概要】
【発明が解決しようとする課題】
【０００４】
上記特許文献１に記載の吸込具体では、上部ケースに第１の回転ブラシ体と第２の回転ブラシ体を平行に設置しており、これらの回転ブラシ体を同時にダブル回転させて床面表面のゴミを確実に上部ケース内に掃き上げ、掃き上げられたゴミは、上部ケースの上方に形成された吸気ダクトに入り、吸気経路を通過する構成になっている。また、特許文献２に記載の吸込体では、吸込体本体内に第１の回転ブラシと第２の回転ブラシを、互いに反対方向に同時に回転するよう、かつ回転数を相違するように設け、床面上の塵埃を掻き上げ叩き出し、空気流とともに連結管に移動させている。これらは、いずれも複数の回転ブラシ体を備えているので、床面の塵埃清掃は、効率よく行えるが、第１の回転ブラシと第２の回転ブラシの外径は同径に設けられているので、床面から掃き上げた塵埃を移動させるために、上記特許文献１の場合は、吸気ダクトを上部ケースの上方に形成し、上記特許文献２の場合は、第１の回転ブラシの上方に所定の通路を確保するために、吸込体本体の高さを高くする必要性が生じる。これらのように吸込具体は大型化となり、室内の床面を清掃のときには、その操作性、特に小回り性に、難点が生じやすい。更に、家具等の下側、例えばＴＶのキャスター付きの置台の場合は、下方の隙間に吸込具体が入りにくく、塵埃が清掃できにくい等の課題が生じていた。
【課題を解決するための手段】
【０００５】
上記従来の課題を解決するために請求項１の発明は、被清掃面から塵埃を吸引する幅広の吸込口を有する吸込室と、該吸込室に一端が連通する塵埃通路をそれぞれ有する吸込具ケースに、一端が前記塵埃通路に連通し他端が前記吸込具ケースの後側から突出するよう形成された接続管と、前記吸込室に並列状態にそれぞれ幅広で回転自在に収納支持された第１ローターと該第１ローターの外周部の長軸方向に複数列形成された第１清掃ブラシより成る第１の回転清掃体と第２ローターと該第２ローターの外周部の長軸方向に複数列形成された第２清掃ブラシより成る第２の回転清掃体と、前記第１の回転清掃体乃至第２の回転清掃体とを減速機構を介して所定の回転数でそれぞれ回転させる駆動体と、を備え、前記第１の回転清掃体と前記第２の回転清掃体と被清掃面との間に塵埃掃き上げ通路を設け、前記第１の回転清掃体と前記第２の回転清掃体のそれぞれの回転方向を前記塵埃掃き上げ通路に向けるように形成し、前記第１の回転清掃体は、前記吸込室の後方の塵埃通路側に収納され、前記第２の回転清掃体より小径で、その上部空間は、前記塵埃通路と前記塵埃掃き上げ通路にそれぞれ連通する塵埃移動横路としたことを特徴としている。このように構成することで、吸込具ケースの高さは、特に高くすることなく、かつ塵埃移動横路に連通する塵埃掃き上げ通路を第１の回転清掃体と、第２の回転清掃体が共用できるので、吸込具体の小型化に寄与でき、操作性や清掃効率の向上も図れる。
【０００６】
請求項２の発明は、第１の回転清掃体と第２の回転清掃体は、それぞれの外周部が接合状態に形成され、第１の回転清掃体の回転数/分は、前記第２の回転清掃体より少なく、かつ、第１ローターに形成される第１清掃体の数は、第２ローターに形成される第２清掃体の数より少なく形成したことを特徴としている。このように構成することで、清掃時において、回転清掃体に絡まりやすい綿ゴミ等は、第１、第２の回転清掃体の回転速度が異なるために、互いに掃き落とすことが可能となる。特に、吸込具体の前側に収納され、大径の第２の回転清掃体には、綿ゴミ等が絡みやすいが、低速で回転する第１の回転清掃体により、確実に除去することができる。
【０００７】
請求項３の発明は、第１ローターには、第１清掃ブラシに近接する第１ブラシ屈曲抑制壁が設けられ、前記第１ブラシ屈曲抑制壁は、第１の回転清掃体の回転方向において、前記第１清掃ブラシ体の後方に設け、かつ、前記第１ブラシ屈曲抑制壁の高さは、前記、第１清掃ブラシの毛丈より低くしたことを特徴としている。このように構成することで、吸込具体の前進時において、第１清掃ブラシは、被清掃面乃至塵埃等により、その先端部は屈曲させられるが、第１ブラシ屈曲抑制壁により、その屈曲は所定の屈曲幅に抑制されて、特に、被清掃面こびり付いたような塵埃や、重い塵埃をも取り除くことが可能となる。
【０００８】
請求項４の発明は、第２ローターには、第２清掃ブラシに近接する第２ブラシ屈曲抑制壁が設けられ、前記第２ブラシ屈曲抑制壁は、第２の回転清掃体の回転方向において、第２清掃ブラシ体の後方に設け、かつ、前記第２ブラシ屈曲抑制壁の高さは、前記、第２清掃ブラシの毛丈より低くしたことを特徴としている。このように構成することで、吸込具体の後退時において、第２清掃ブラシは、被清掃面乃至塵埃等により、その先端部は屈曲させられるが、第２ブラシ屈曲抑制壁により、その屈曲は所定の屈曲幅に抑制されて、特に、被清掃面こびり付いたような塵埃や、重い塵埃をも取り除くことが可能となる。
【発明の効果】
【０００９】
請求項１の発明では、第１の回転清掃体の外径の大きさを、第２の回転清掃体の外径より小さく形成することで、第１の回転清掃体の上方に出来る横に広い空間を、塵埃移動横路とすることができるので、吸込具体の小型化が可能となり、その操作性等も良好となることはもちろん、家具等の下方の隙間清掃も容易である。しかも、第１と第２の回転清掃体を備え、それぞれの回転方向を、塵埃移動横路に連通する塵埃掃き上げ通路に向けているので、塵埃掃き上げ通路を個々に設けることなく塵埃掃き上げ通路は共用化でき、吸込具体の小型化は基より、塵埃通路及び塵埃移動横路は、吸込具体の底面から、比較的低位置に設けられているので、特に第２の回転清掃体による被清掃面からの塵埃を掃き上げる距離は短くなり、砂ゴミ等の比較的重い塵埃も、スムースに移動を可能とすることができる。もちろん、被清掃面上の軽い塵埃や重い塵埃は、吸込具体の前進時により、吸い込み室に収納された回転方向の異なる第１と第２の回転清掃体により、ダブルで素早く連続で掃き上げ、塵埃移動横路に移動させることができ、更に、吸込具体の後退時にも、ダブルで素早く連続で掃き上げ、塵埃移動横路に移動させることができるので、取り残し等が少なく清掃効率は良好とすることが出来る。
【００１０】
請求項２の発明では、吸込具体の前側に第１の回転清掃体より高回転で、第１清掃体の本数より第２清掃体の本数を多く備えた第２の回転清掃体を設けているので、１回転あたりの被清掃面に当接する回数は多くなり被清掃面上の塵埃は、その前進移動により、ほとんどが清掃できるが、比較的軽い綿ゴミ等は、第２清掃体に絡まりやすく、絡まった綿ゴミは、清掃作業の低下を招き易い。しかしながら、第２清掃体は、その回転時において、低速回転の第１の回転清掃体の外周部に当接することで、絡まった綿ゴミは、第１清掃体により容易に除去され、塵埃通路や塵埃移動横路に素早く移動させることができるので、清掃作業の効率低下は、防止できるものである。また、当然ではあるが、第１の回転清掃体に付着した綿ゴミは、第２の回転清掃体により除去することができる。
【００１１】
請求項３の発明では、吸込具体の前進時において、被清掃面上にこびり付いたような塵埃清掃が、第２の回転清掃体で、除去できなかった場合において、第１清掃ブラシに近接し、その回転方向の後方に第１ブラシ屈曲抑制壁を、第１ローターに設けているので、第１清掃体は、前記こびり付いた塵埃に当接し、屈曲を余儀なくされるが、所定長屈曲すると、第１ブラシ屈曲抑制壁に当接して抑制されることで、こびり付いた塵埃を強力に被清掃面から引き剥がすことができ、清掃効率の向上が図れる。なお、被清掃面上の比較的軽い塵埃は、第１清掃体の毛丈が、第１ブラシ屈曲抑制壁の高さより、高く形成されているので、第１清掃体の先端部で、掃き上げることができる。また、第１の回転清掃体の回転時、第１ブラシ屈曲抑制壁は、第１清掃ブラシの後方に設けられているので、毛足の長い絨毯等の清掃時においても、先に第１清掃ブラシが当接し、樹脂やアルミやマグネシューム等の金属からなる第１ローターが、直接当接しないので、前記絨毯の損傷等も防止できる。
【００１２】
請求項４の発明では、吸込具体の前方に配設されている第２の回転清掃体の第２ローターに、その回転方向の、前方に第２清掃体を、その後方に近接した第２ブラシ屈曲抑制壁を設けることで、被清掃面上にこびり付いたような塵埃清掃は、第２清掃体が前記塵埃に当接し、屈曲を余儀なくされるが、所定長屈曲すると、第２ブラシ屈曲抑制壁に当接して抑制されることで、こびり付いた塵埃を強力に被清掃面から引き剥がすことができ、清掃効率の向上が図れる。なお、被清掃面上の比較的軽い塵埃は、第２清掃体の毛丈が、第２ブラシ屈曲抑制壁の高さより、高く形成されているので、第２清掃体の先端部で、掃き上げることができる。また、第２の回転清掃体の回転時、第２ブラシ屈曲抑制壁は、第２清掃ブラシの後方に設けられているので、毛足の長い絨毯等の清掃時においても、先に第２清掃ブラシが当接するので、前記絨毯等の損傷等も防止できる。更に、請求項３の発明と組み合わせると、より清掃効果が向上することは言うまでもないことである。
【図面の簡単な説明】
【００１３】
【図１】本発明に係る掃除機本体の上面を開放した平面図である。
【図２】本発明に係る図１における断面ＸＸ図である。
【図３】本発明に係る図１における断面ＹＹ図である。
【図４】本発明や他の発明に係る電気掃除機の全体構成を示す斜視図である。
【図５】本発明に係る他の実施例を示す第１の回転清掃体と第２の回転清掃体を被清掃面に載置した状態を示す縦断面図である (断面箇所は、図３と同じＹＹ) 。
【図６】本発明に係る他の実施例を示す第１の回転清掃体と第２の回転清掃体を被清掃面上に載置した状態を示す縦断面図である (断面箇所は、図３と同じＹＹ) 。
【図７】本発明に係る他の実施例を示す第２の回転清掃体が被清掃面上の塵埃に当接した状態を示す要部拡大断面図である。
【図８】本発明に係る他の実施例を示す第１の回転清掃体が被清掃面上の塵埃に当接した状態を示す要部拡大断面図である。
【発明を実施するための形態】
【００１４】
図１は、本発明に係る掃除機本体の上面を開放した平面図、図２は、図１における断面ＸＸ図、図３は図１における断面ＹＹ図、図４は本発明や、後述する他の発明に係る電気掃除機の全体構成を示す斜視図である。吸込具体１は、底面の前側に被清掃面から塵埃を吸引する幅広の吸込口２を有する吸込室３と該吸込室３に一端が連通する塵埃通路４を有する幅広の上ケース５と下ケース６で形成された吸込具ケース７と、一端が前記塵埃通路４に連通し他端が前記吸込具ケース７の後面から突出するよう吸込具ケース７に回転自在に保持されている接続管８と、吸込具ケース７の底面に回転自在に取り付けられた一対の走行輪９、９と、により構成されている。なお、塵埃通路４は、吸込具ケース７の後方を左右に均一に分割するよう、略中央に設けられている。Ｚは、被清掃面である。
【００１５】
第１の回転清掃体１０は、樹脂やアルミやマグネシューム等の軽金属よりなる所定幅を有する略円筒状の第1ローター１１と、該第１ローター１１の外周部に等間隔で３列、該第１ローター１１の端から端まで取り付けられた軟質材のシート乃至金属線や樹脂線からなる多数本のブラシから成る第１清掃ブラシ１２と、両端にそれぞれ有する軸体１３、１３から構成され、軸受体Ａ１４と軸受体Ｂ１５により、吸込室３の後方に回転自在に収納されている。なお、第１の回転清掃体１０の回転時の直径Ｄ１は、後述する第２の回転清掃体１７の回転直径Ｄ２より小径に構成され、吸込室３の第１の回転清掃体１０の上部にできる幅広の空間は、塵埃移動横路１６と成る。該塵埃移動横路１６は、その略中央部が塵埃通路４の一端部に連通しており、後述する第２の回転清掃体１７の塵埃通路４としても利用でき、第２の回転清掃体１７の専用の通路を不要としている。
【００１６】
第２の回転清掃体１７は、樹脂やアルミやマグネシューム等の軽金属よりなる所定幅を有する略円筒状の第２ローター１８と、該第２ローター１８の外周部に等間隔で４列、該第２ローター１８の端から端まで取り付けられた軟質材のシート乃至金属線や樹脂線からなる多数本のブラシから成る第２清掃ブラシ１９と、両端にそれぞれ有する軸体２０、２０から構成され、軸受体Ａ１４と軸受体Ｂ１５により、吸込室３の前方に回転自在に収納されている。なお、第２の回転清掃体１７の回転直径Ｄ２は、吸込室３の全高さとほぼ同寸法である。吸込具体１を被清掃面Ｚに載置した状態で、第１の回転清掃体１０と第２の回転清掃体１７及び被清掃面Ｚとの間にできる幅広で縦断面形状が略△角状の空間は、塵埃掃き上げ通路２１で、その上方は塵埃移動横路１６に連通している。なお、吸込具体１を被清掃面Ｚに載置した状態で、第１及び第２の回転清掃体１０、１７の外周部は、被清掃面Ｚに近接乃至接しているように形成されている。図２におけるＣは、それぞれの回転清掃体１０、１７の軸心である。
【００１７】
塵埃通路４の左右には、制御用電子部品３１を収納する制御室２２と、第１の回転清掃体１０と第２の回転清掃体１７とを、回転させるための電動機から成る駆動体２３を収納する駆動室２４がそれぞれ設けられ、駆動体２３の回転数等は制御用電子部品３１により制御される。減速機構２５は、駆動体２３の回転を第１の回転清掃体１０と第２の回転清掃体１７とに、それぞれ所定の回転数で回転させるためのものであり、ベルト２６や、各種ギア（図示せず）からなっている。なお、軸受体Ｂ１５内には、少なくとも、第１の回転清掃体１０の回転数が第２の回転清掃体１７より少なくなるように、各種ギア（図示せず）が収納されている。なお、第１の回転清掃体１０の回転方向はＲ1、第２の回転清掃体１７の回転方向はＲ２となるように形成されており、塵埃を塵埃掃き上げ通路２１に、それぞれ掃き上げるようになっている。また、塵埃掃き上げ通路２１は、塵埃移動横路１６に連通しているので、被清掃面Ｚ上の塵埃は、第１の回転清掃体１０と第２の回転清掃体１７とにより、塵埃を塵埃掃き上げ通路２１を介して、塵埃移動横路１６及び塵埃通路４に導かれる。
【００１８】
延長管２７は、一端が接続管８に、他端が電源スイッチ等を有する操作部２８が設けられたホース２９に接続され、ホース２９の他端は、被清掃面Ｚから、吸込具１、延長管２７、ホース２９を介して、空気と共に吸塵するための電動送風機（図示せず）や塵埃を捕集するフィルター（図示せず）が内蔵された電気掃除機本体３０に接続されている。矢印Ｖは、前記電動送風機（図示せず）による吸引空気流を示す。なお、第1ローター１１と第２ローター１８のそれぞれは、その所定幅方向において、所定角度で捻ってもストレートでも、また、片方がストレートで、他が所定角度に捻ってもよく、組み合わせは、特に限定はしないものである。もちろん、第１及び第２の清掃ブラシ１２、１９も、当然、第1ローター１１と第２ローター１８と同様にストレートや捻ってもよく、組み合わせは、特に限定はしないものである。
【００１９】
このように構成され、操作部２８を操作すると、前記電動送風機（図示せず）と駆動体２３が運転を開始し、操作部２８を持って、被清掃面Ｚ上に載置された吸込具体１を前進させる。この時、第１の回転清掃体１０と第２の回転清掃体１７は、それぞれ塵埃掃き上げ通路２１に向けて回転をしているので、被清掃面Ｚ上の塵埃は、最初に第２の回転清掃体１７が掃き上げ、清掃しきれなかった塵埃は、第１の回転清掃体１０が掃き上げて、前記電動送風機（図示せず）の吸引空気流Ｖにより、塵埃移動横路１６や塵埃通路４、更に接続管８を通過し、延長管２７、ホース２９を介して電気掃除機本体３０に集塵される。次に、吸込具体１を、前記前進した通路を後進させると、今度は、初めに第１の回転清掃体１０が、取り残された塵埃を掃き上げ、その次に第２の回転清掃体１７が掃き上げることができるので、塵埃の取残しが無くなり、清掃効率は、向上するものである。
【００２０】
また、小径に形成された第１の回転清掃体１０の上面部に形成された塵埃移動横路１６と塵埃通路４は、吸込具体１の底面から、比較的低位置に設けられているので、特に第２の回転清掃体１７による被清掃面Ｚからの塵埃を掃き上げる距離は短くなり、砂ゴミ等の比較的重い塵埃も、スムースに移動を可能とすることができると共に、吸込具体１は小型に形成されるので、被清掃面Ｚ上を操作するのも、容易である。また、塵埃掃き上げ通路２１は、第１の回転清掃体１０と第２の回転清掃体１７との共用の通路であるので、それぞれ専用の塵埃掃き上げ通路は不要となり、小型化が可能となる。もちろん、吸込具体１の全高Ｈは、低くできるので、家具等の下方の隙間掃除にも、わざわざ、吸込具体１を延長管２７から外して、延長管２７の端部で吸塵するような面倒な作業が、不要にすることが可能となるものである。
【００２１】
また、第１の回転清掃体１０と第２の回転清掃体１７の、それぞれの外周部を被清掃面Ｚに接するように構成すると、吸込具体１を前進させると、第１の回転清掃体１０は被清掃面Ｚにより、回転を阻害させる抵抗を受けるので、重い塵埃や、こびり付いたような塵埃の清掃に適する。更に、吸込具体１を後退させると、今度は、第２の回転清掃体１７は被清掃面Ｚにより、回転を阻害させる抵抗を受けるので、重い塵埃や、こびり付いたような塵埃の清掃に適することが出来る。すなわち、吸込具体１を１往復させると、被清掃面Ｚの清掃は、飛躍的に向上することが期待できる。なお、第１の回転清掃体１０と第２の回転清掃体１７の、それぞれの回転数は、第２の回転清掃体１７が第１の回転清掃体１０より多く形成したが、同じ回転数としても、第２の回転清掃体１７は第１の回転清掃体１０より大径に形成されているため、その外周部の周速は、第１の回転清掃体１０より早くなり、特に、軽い塵埃の掃き上げ効果は、良好であり、外周部の周速の遅い第１の回転清掃体１０は、トルクが第２の回転清掃体１７に比べ大きくなり、重い塵埃の掃き上げ効果が良好となる。このように、大径の第２の回転清掃体１７と小径の第１の回転清掃体１０の組み合わせは、各種の塵埃清掃処理にも、効果が発揮させることができる。なお、第１の回転清掃体１０は、駆動体２３の動力を得ず、吸込具体１の前後動のみ、すなわち被清掃面Ｚとの摩擦による回転でも良い。また、駆動体２３は、電動機に限定せず、例えば走行輪９、９等の回転力を、活用しても良いものである。
【００２２】
図５は、本発明に係る他の実施例を示す第１の回転清掃体と第２の回転清掃体を被清掃面に載置した状態を示す縦断面図であり、吸込室３の前側に第２の回転清掃体１７０と、該第２の回転清掃体１７０より小径に形成された第１の回転清掃体１００とが、平行で重合距離Ｙを形成する状態にそれぞれ回転自在に収納されている。第１の回転清掃体１００を形成する第１ローター１１０の外周には、第１清掃ブラシ１２０と毛足が長い第１清掃ブラシ１２０Ａが、それぞれ複数列取り付けられており、毛足が長い第１清掃ブラシ１２０Ａの先端部は、第２の回転清掃体１７０を形成する第２ローター１８０の外周に等間隔で複数列取り付けられた第２清掃ブラシ１９０の先端部に、回転時において重合距離Ｙを確保するよう形成されている。なお、第２ローター１８０の外周に取り付けられた第２清掃ブラシ１９０の列数は、第１ローター１１０の外周に取り付けられた毛足の長い第１清掃ブラシ１２０Ａの列数より、多く設けられている。
【００２３】
このように構成された吸込具体１Ａを前進、あるいは後退させると、第１の回転清掃体と第２の回転清掃体はそれぞれ、被清掃面Ｚ上の塵埃を掃き上げ、塵埃掃き上げ通路２１を介して、塵埃移動横路１６及び塵埃通路４に導くが、第２の回転清掃体は、吸込具体１Ａの前側に収納され、かつ第２ローター１８０に取り付けられた第２清掃ブラシ１９０の数も、第１清掃ブラシ１２０に比べ多く形成されているので、綿ゴミや、髪の毛等の比較的軽量の塵埃が、第２清掃ブラシ１９０に絡まりやすく、絡まり付いた状態で使用すると、更に絡まり、結果的に回転振動や騒音が多くなり、清掃力が低下する。しかしながら、毛足が長い第１清掃ブラシ１２０Ａと第２清掃ブラシ１９０とが回転接触するので、第２清掃ブラシ１９０に附着した塵埃は毛足が長い第１清掃ブラシ１２０Ａにより除去され、塵埃移動横路１６及び塵埃通路４に導くことができる。尚この時、前記回転接触する第１清掃ブラシ１２０Ａの列数は少ないので、接触回数及び接触抵抗も減り回転接触負荷を少なくすることができ、接触に伴う、毛足が長い第１清掃ブラシ１２０Ａと第２清掃ブラシ１９０のそれぞれの摩耗は少なくできるとともに、駆動体２３の負荷も軽減することができる。なお、前記回転接触負荷を少なくするために、毛足が長い第１清掃ブラシ１２０Ａの材質を柔らかくしたり、ブラシの本数を減らしても良いものである。また、第1ローター１１０と第２ローター１８０のそれぞれは、その所定幅方向において、所定角度で捻ってもストレートでも、また、片方がストレートで、他方が所定角度に捻ってもよく、組み合わせは、特に限定はしないものである。なお、第１の回転清掃体１００と第２の回転清掃体１７０のそれぞれの回転数は、異なっているので、必ず毛足が長い第１清掃ブラシ１２０Ａと第２清掃ブラシ１９０は接触することができる。
【００２４】
図６は、本発明に係る他の実施例を示す第１の回転清掃体と第２の回転清掃体を被清掃面に載置した状態を示す縦断面図、図７は、第２の回転清掃体が塵埃に接触した状態を示す要部拡大断面図、図８は第１の回転清掃体が塵埃に接触した状態を示す要部拡大断面図であり、吸込室３の前方に第２の回転清掃体１７１、後方に第２の回転清掃体１７１より小径の第１の回転清掃体１０１が、平行で近接した状態にそれぞれ回転自在に収納されている。第２の回転清掃体１７１の回転方向Ｒ２は、塵埃掃き上げ通路２１に向けられており、第２ローター１８１は、円柱状に形成されており、軸心Ｃから外周面に向けて延在する第２ブラシ屈曲抑制壁２０１が、等間隔で４本設けられている。  第２清掃ブラシ１９１は、第２の回転清掃体１７１の回転方向Ｒ２において、第２ブラシ屈曲抑制壁２０１の前側で近接して、第２ローター１８１に、等間隔で４列取り付けられている。なお、第２ブラシ屈曲抑制壁２０１の高さは、第２清掃ブラシ１９１の毛丈長より短く形成されていて、第２の回転清掃体１７１の回転時において、例えば床面の硬い板の間等には、非接触となっている。第１の回転清掃体１０１の回転方向Ｒ１は、塵埃掃き上げ通路２１に向けられており、第１ローター１１１の縦断面形状において、等角度で、軸心Ｃから外周面に向けて延在する３本の第１ブラシ屈曲抑制壁２０２が設けられている。第１清掃ブラシ１２１は、第１の回転清掃体１０１の回転方向Ｒ１において、第１ブラシ屈曲抑制壁２０２の前側で近接して、第１ローター１１１に取り付けられている。なお、第１ブラシ屈曲抑制壁２０２の高さは、第1清掃ブラシ１２１の毛丈長より短く形成されていて、第１の回転清掃体１０１の回転時において、例えば床面の硬い板の間等には、非接触となっている。
【００２５】
このように構成された状態で、吸込具体１Ｂを、図８の如く、Ｆ方向に前進させると、一般的な通常使用、すなわち、吸込具体１Ｂの前進時の操作速度が、第１ローター１１１、第２ローター１８１の回転時における第１清掃ブラシ１２１、第２清掃ブラシ１９１の周速度より小の場合は、第１清掃ブラシ１２１と第２清掃ブラシ１９１はそれぞれ回転方向に、塵埃を掃き上げるので、特に問題がないが、吸込具体１Ｂの前進時の操作速度が、第１ローター１１１、第２ローター１８１の回転時における第１清掃ブラシ１２１、第２清掃ブラシ１９１の周速度より大の場合は、第２清掃ブラシ１９１は、その回転方向に被清掃面Ｚ上の塵埃を、塵埃掃き上げ通路２１を介して、塵埃横路１６及び塵埃通路４に導く。この時、被清掃面Ｚ上の重い塵埃やこびり付いたような塵埃に対し、第２清掃ブラシ１９１は、第２の回転清掃体の回転方向Ｒ２側に、大きく屈曲してしまい、塵埃移動が困難になりやすい。しかし、図８に示すように、第１清掃ブラシ１２１は、被清掃面Ｚにその回転を阻害され、屈曲するが、第１ブラシ屈曲抑制壁２０２に屈曲を阻害され、被清掃面Ｚを強力に擦り、重いあるいはこびり付いたような塵埃Ｊを掃き上げ、被清掃面Ｚに比較的近い位置にある塵埃移動横路１６及び塵埃通路４に導くことが出来る。その後、吸込具体１Ｂを、図７の如く、Ｂ方向に後退させると、吸込具体１Ｂの後退時の操作速度が、第１ローター１１１、第２ローター１８１の回転時における第１清掃ブラシ１２１、第２清掃ブラシ１９１の周速度より小の場合は、第１清掃ブラシ１２１と第２清掃ブラシ１９１はそれぞれ回転方向に、塵埃を掃き上げるので、特に問題がないが、吸込具体１Ｂの後退時の操作速度が、第１ローター１１１、第２ローター１８１の回転時における第１清掃ブラシ１２１、第２清掃ブラシ１９１の周速度より大の場合は、第１清掃ブラシ１２１は、その回転方向に被清掃面Ｚ上の塵埃を、塵埃掃き上げ通路２１を介して、塵埃横路１６及び塵埃通路４に導く。この時、被清掃面Ｚ上の重い塵埃やこびり付いたような塵埃Ｊに対し、第１清掃ブラシ１２１は、第１の回転清掃体の回転方向Ｒ１側に、大きく屈曲してしまい、塵埃移動が困難になりやすい。しかし、図７に示すように、第２清掃ブラシ１９１は、被清掃面Ｚにその回転を阻害され屈曲するが、第２ブラシ屈曲抑制壁２０１に屈曲を阻害され、被清掃面Ｚを強力に擦り、重いあるいはこびり付いたような塵埃Ｊを掃き上げ、被清掃面Ｚに比較的近い位置にある塵埃移動横路１６及び塵埃通路４に導くことが出来る。このように、吸込具体１Ｂの前進、後退時の操作速度を、極端に早めても、塵埃は除去できるものである。
【００２６】
このように、回転方向の異なる第１の回転清掃体１０１と、第２の回転清掃体１７１に、それぞれ第１ブラシ屈曲抑制壁２０２と、第２ブラシ屈曲抑制壁２０１を設けたことにより、吸込具体１Ｂの前進時、と後退時に、それぞれが比較的軽い塵埃と、重い塵埃を交互に掃き上げることが出来るので、清掃効率の向上が大きく期待できるものである。この時に、塵埃移動横路１６及び塵埃通路４が被清掃面Ｚに比較的近い位置に形成されているので、特に、重い塵埃の掃き上げも容易で、駆動体２３の負荷軽減にも役立つものである。また、第１清掃ブラシ１２１と第１ブラシ屈曲抑制壁２０２及び第２清掃ブラシ１９１と第２ブラシ屈曲抑制壁２０１の位置関係は、それぞれ近接して設けられているが、それぞれが接触状態でも、あるいは第１清掃ブラシ１２１と第１ブラシ屈曲抑制壁２０２は近接で、第２清掃ブラシ１９１と第２ブラシ屈曲抑制壁２０１が接触状態、さらに、前記とは逆の組合せでも、良いものである。なお、第１の回転清掃体１０１と第２の回転清掃体１７の組み合わせと、第１の回転転清掃体１０と第２の回転清掃体１７１の組合せでも、ほぼ同じような効果が期待できるものである。さらに、吸込具体１を電気掃除機本体３０に直接取り付けても、同等の効果を得られるものである。さらにまた、第１ローター１１１と第２ローター１８１は、円柱状に形成されているが、特にその形状に限定するものでなく、要は、それぞれのローター１１１、１８１の回転方向において、第１清掃ブラシ１２１の後側に第１ブラシ屈曲抑制壁２０２、第２清掃ブラシ１９１の後側に第２ブラシ屈曲抑制壁２０１が設けられていれば良いものである。なお、本発明の主旨を逸脱しない範囲で、本案や他の実施例の組み合わせによる、さまざまな実施形態をとることが出来るものである。
【産業上の利用可能性】
【００２７】
本発明の電気掃除機用の吸込具体は、外径の異なる回転清掃体を複数設けることにより、被清掃面上の異なった塵埃を、確実に効率よく清掃できる吸込具体として、広く好適に使用することができる。
【符号の説明】
【００２８】
１、１Ａ、１Ｂ  吸込具体
２  吸込口
３  吸込室
４  塵埃通路
５  上ケース
６  下ケース
７  吸込具ケース
８  接続管
９  走行輪
１０、１００、１０１  第１の回転清掃体
１１、１１０、１１１  第１ローター
１２、１２０、１２０Ａ、１２１  第１清掃ブラシ
１３、２０  軸体
１４  軸受体Ａ
１５  軸受体Ｂ
１６  塵埃移動横路
１７、１７０、１７１  第２の回転清掃体
１８、１８０、１８１  第２ローター
１９、１９０、１９１  第２清掃ブラシ
２１  塵埃掃き上げ通路
２２  制御室
２３  駆動体
２４  駆動室
２５  減速機構
２６  ベルト
２７  延長管
２８  操作部
２９  ホース
３０  電気掃除機本体
３１  制御用電子部品
２０１  第２ブラシ屈曲抑制壁
２０２  第１ブラシ屈曲抑制壁
Ｂ  吸込具体の後退方向
Ｃ  軸心
Ｄ１  第１の回転清掃体の回転直径
Ｄ２  第２の回転清掃体の回転直径
Ｆ  吸込具体の前進方向
Ｈ  吸込具体の全高
Ｊ  塵埃
Ｒ１  第１の回転清掃体の回転方向
Ｒ２  第２の回転清掃体の回転方向
Ｖ  吸引空気流
Ｙ  重合距離
Ｚ  被清掃面
【図１】
2015154836.tif 000003
【図２】
2015154836.tif 000004
【図３】
2015154836.tif 000005
【図４】
2015154836.tif 000006
【図５】
2015154836.tif 000007
【図６】
2015154836.tif 000008
【図７】
2015154836.tif 000009
【図８】
2015154836.tif 000010